(57)【要約】【課題】簡易且つ安価な構成で衝撃に強い商品収納コラムの支持構造を持った自動販売機を提供する。【解決手段】自動販売機内に収容されたの商品収納コラム５を吊り下げ支持する支持レール９と、この支持レールの一端に係止部９４の先から支持部１５より下方に延在して掛り部１７を設けたので、自動販売機に衝撃が加わった場合でも、掛かり部１７が引っ掛かって係止部９４が支持穴１４から抜き出ることがなく、支持レール９が支持部材１２から外れることを防止できる。【選択図】図１
2005141474.tif 000002
【特許請求の範囲】
【請求項１】
商品が充填される商品収納コラムと、該商品収納コラムを商品収納庫内に吊り下げて支持する支持レールと、前記支持レールの一端に設けた係止部と、前記商品収納庫に開口して前記係止部を挿通支持する支持部を有する自動販売機において、前記係止部の先端部は下方に延在した掛り部を設け、前記支持部を形成する支持孔に前記掛り部が係止されることを特徴とする自動販売機。
【請求項２】
商品が充填される商品収納コラムと、該商品収納コラムを商品収納庫内に吊り下げて支持する支持レールと、前記支持レールの一端に設けた係止部と、前記商品収納庫に開口して前記係止部を挿通支持する支持部を有する自動販売機において、
前記係止部の先端部は横方向に延在した掛り部を設け、前記支持部を形成する支持孔に前記掛り部が係止されることを特徴とする自動販売機。
【請求項３】
前記係止部の先頭部を尖端状にしたことを特徴とする請求項１または請求項２に記載の自動販売機。
【発明の詳細な説明】
【技術分野】
【０００１】
本発明は、商品収納庫内にサーペンタイン等の商品収納コラムを挿脱自在に設けた自動販売機に関するものである。
【背景技術】
【０００２】
商品が充填される商品収納コラムと、商品収納コラムを商品収納庫内に吊り下げて支持する支持レールと、支持レールの一端に設けた係止部と、商品収納庫に開口して係止部を挿通支持する支持部を有する支持穴とを備えた従来の自動販売機の一例を図８〜図１２に示す。
【０００３】
従来の自動販売機１は、図８に示すように、自動販売機本体２の内部に上下に商品収納庫３と機械室４とを有するもので、この商品収納庫３内には左右にサーペンタイン式の商品収納コラム５を複数並設していて、断熱仕切板６により商品収納庫３が左右に仕切られ、左右に温度帯域の異なる部屋を形成できる。なお、７は商品収納庫３の前面を開閉する断熱性の内扉、８は内扉７の前面を開閉する外扉である。
【０００４】
この商品収納コラム５は、一対の側板５aを左右に備え、該側板５a間の上部には前方より商品の投入が可能な商品投入口５bを形成し、中央部には前記投入口５bからの商品を充填保持する商品通路５cを形成し、下部には商品搬出装置（図示省略）を設置し、この商品搬出装置から搬出される商品を商品取り出し口（図示省略）に搬送するための商品シュート５dを形成している。
【０００５】
さらにまた、図１０の如く商品収納コラム５の各側板５aの上端は、外側に湾曲してフランジ５eが形成されており、このフランジ５eは支持レール９に引っ掛けて商品収納コラム５を商品収納庫３の天井壁１０面から吊り下げるためのものである。
【０００６】
図１１のように商品収納庫３において、天井面を形成する天井壁１０面や背面を形成する背面壁１０aなどの周囲は、硬質ポリウレタンなどの断熱材で成形されていて、外部と断熱して商品収納庫３内部の温度を保っている。
【０００７】
左右一対の支持レール９は、商品収納コラム５のフランジ５eに対応して商品収納庫３の天井壁１０面に設置されている。この支持レール９は、金属板を折り曲げ形成したものであり、図１０に示すように、商品収納庫３の天井壁１０から垂直下方に延びるとともに下端を水平に折り曲げた断面略Ｌ字状の支持レール本体９１と、支持レール本体９１の端部から垂直上方に延びるガイド板９２と、支持レール本体９１の上端から水平に延び商品収納庫３の天井壁１０面に取り付けるための取付板９３と、支持レール本体９１の奥側一端から延在して設けた係止部９４と、取付板９３には穴９５とが形成されている。
【０００８】
一方、図９のように自動販売機本体２の内部で、天井壁１０形成面の商品収納庫３手前側には補強部材１１が、また天井壁１０形成面の商品収納庫３奥側には支持部材１２がそれぞれ左右幅方向に架設されている。支持レール９の設置位置に対応して、補強部材１１には取付穴１３が、支持部材１２には支持穴１４が、各々商品収納庫３内側に向って開口して設けられている。支持穴１４には、係止部９４を挿通した時にその係止部９４を支持する支持部１５を有する。図９〜図１０においては支持穴１４は略縦長穴形状で、その下辺端面が支持部１５となしている。
【０００９】
支持レール９の商品収納庫３の天井壁１０面への設置は、商品収納庫３奥側で係止部９４を支持穴１４に挿通した後、商品収納庫３手前側で穴９５を介してビス１６にて取付穴１３にねじ止めしている。これにより商品が充填される商品収納コラム５を支持レール９で商品収納庫３内に吊り下げて支持する。
【特許文献１】特開平１１−３２８５２５号公報
【発明の開示】
【発明が解決しようとする課題】
【００１０】
しかしながら、この自動販売機では、商品収納コラム５の荷重に対して商品収納庫３奥側では支持レール９の係止部９４を支持部材１２の支持穴１４に挿通しているのみの構造である。このため、例えば自動販売機をフォークリフト等で誤って手荒く運搬荷降ろしされた場合などのように、自動販売機全体に強い落下衝撃が加わると商品収納コラム５が上下に振動する。この時、支持レール９やフランジ５１eに多大な負荷が上下方向にかかるため、支持レール９の商品収納庫３手前側はビス１６にて補強部材１１に締結されているため変位は少ないが、支持レール９の商品収納庫３奥側は支持レール９の係止部９４を支持部材１２の支持穴１４に挿通しているのみで支持部材１２と締結されているわけではない。したがって、図１２のように自動販売機本体２は瞬間的には二点鎖線に示す変形をし、これにて係止部９４の支持部材１２との掛かり代Lが変形によってΔLだけ寸法が減ずる。この結果、係止部９４が支持穴１４から抜き出されることにより、支持レール９が支持部材１２から外れる可能性があるといった課題を有していた。掛かり代Lを大きく設けると望ましいが、近年の自動販売機設置省スペースのニーズから限界があった。
【００１１】
本発明は、前記従来の課題を解決するもので、その目的とするところは、簡易且つ安価な構成で、支持レールが支持部材から外れることのない衝撃に強い自動販売機を提供することにある。
【課題を解決するための手段】
【００１２】
上記従来の課題を解決するために、本発明の自動販売機では、商品が充填される商品収納コラムと、該商品収納コラムを商品収納庫内に吊り下げて支持する支持レールと、前記支持レールの一端に設けた係止部と、前記商品収納庫に開口して前記係止部を挿通支持する支持部を有する自動販売機において、前記係止部の先端部は下方に延在した掛り部を設け、前記支持部を形成する支持孔に前記掛り部が係止されるものである。
【００１３】
これによって、自動販売機本体の変形時には支持穴が上下方向に変位しても、掛かり部が引っ掛かって係止部が支持穴から抜き出される移動が規制される。
【００１４】
また、請求項２の発明では、請求項１記載の自動販売機において、前記係止部の先から前記支持部より横方に延在して掛り部を設けたものである。
【００１５】
これによって、自動販売機本体の変形時に作用する支持部の自動販売機本体上下方向の移動に拘わらず掛かり部が引っ掛かって係止部が支持穴から抜き出される移動が規制される。
【００１６】
また請求項３の発明では請求項１または請求項２記載の自動販売機において、前記係止部の先頭部を尖端状にしたものである。
【００１７】
これによって、自動販売機本体の変形時には、掛かり部が引っ掛かって係止部が支持穴から抜き出される移動が規制されるとともに、支持レールの設置作業が容易になる。
【発明の効果】
【００１８】
本発明の自動販売機は、請求項１の発明によれば、自動販売機本体の変形時には、掛かり部が引っ掛かって係止部が支持穴から抜き出される移動が規制することができる。
【００１９】
また、請求項２の発明によれば、自動販売機本体の変形時に作用する支持部の自動販売機本体上下方向の移動に拘わらず掛かり部が引っ掛かって係止部が支持穴から抜き出される移動が規制され、また少ない寸法分の掛り部の形成で実現できるので過剰に形状を大型化する必要はない。
【００２０】
さらに、請求項３の発明によれば、自動販売機本体の変形時には、掛かり部が引っ掛かって係止部が支持穴から抜き出される移動が規制されるとともに、掛り部の奥端部には先端鋭利な突刺し部であるから支持レールの設置作業が容易にすることができる。
【発明を実施するための最良の形態】
【００２１】
請求項１に記載の発明は、商品が充填される商品収納コラムと、該商品収納コラムを商品収納庫内に吊り下げて支持する支持レールと、前記支持レールの一端に設けた係止部と、前記商品収納庫に開口して前記係止部を挿通支持する支持部を有する自動販売機において、前記係止部の先端部は下方に延在した掛り部を設け、前記支持部を形成する支持孔に前記掛り部が係止されることによって、自動販売機本体の変形時には支持穴が上下方向に変位しても、掛り部が引っ掛かって係止部が支持穴から抜き出される移動が規制される。
【００２２】
請求項２に記載の発明では、請求項１記載の自動販売機において、前記係止部の先から前記支持部より横方に延在して掛り部を設けたことによって、自動販売機本体の変形時に作用する支持部の自動販売機本体上下方向の移動に拘わらず掛かり部が引っ掛かって係止部が支持穴から抜き出される移動が規制される。
【００２３】
請求項３に記載の発明では、特に、第１または第２の発明の自動販売機において、前記係止部の先頭部を尖端状にしたことにより、自動販売機本体の変形時には、掛かり部が引っ掛かって係止部が支持穴から抜き出される移動が規制されるとともに、支持レールの設置作業が容易になる。
【００２４】
以下、本発明の実施の形態について、図面を参照しながら説明する。なお、この実施の形態によって本発明が限定されるものではない。
【００２５】
（実施の形態１）
本発明の第１の実施の形態にかかる自動販売機について図１〜図3を参照して説明する。尚、従来例と同一構成部分は同一符号を用いて示すとともに、その説明を省略する。
【００２６】
従来例と同様に、この支持レール９は図１に示すように、商品収納庫３の天井壁１０から垂直下方に延びるとともに下端を水平に折り曲げた断面略Ｌ字状の支持レール本体９１と、支持レール本体９１の端部から垂直上方に延びるガイド板９２と、支持レール本体９１の上端から水平に延び商品収納庫３の天井壁１０面に取り付けるための取付板９３と、支持レール本体９１の奥側一端から延在して設けた係止部９４と、取付板９３には穴９５とが形成されている。また、係止部９４の先から支持部１５より下方に延在して掛り部１７を設けている。支持穴１４には、係止部９４を挿通した時にその係止部９４を支持する支持部１５を有する。図1においても支持穴１４は略縦長穴形状で、その下辺端面が支持部１５となしている。
【００２７】
支持レール９の商品収納庫３の天井壁１０面への設置は、図１にて二点鎖線で示すように商品収納庫３奥側で掛り部１７を支持穴１４に捻じ込み係止部９４を支持部１５より奥に挿通した後、図2のように、商品収納庫３手前側で穴９５を介してビス１６にて取付穴１３にねじ止めしている。この時、掛り部１７の下端は支持部１５の位置より高さｈだけ下方に延在している。これにより商品が充填される商品収納コラム５を支持レール９で商品収納庫３内に吊り下げて支持する。
【００２８】
自動販売機全体に強い落下衝撃が加わると商品収納コラム５が上下に振動する。この時、支持レール９やフランジ５１eに多大な負荷が上下方向にかかるため、支持レール９の商品収納庫３手前側はビス１６にて補強部材１１に締結されているため変位は少ないが、支持レール９の商品収納庫３奥側は支持レール９の係止部９４を支持部材１２の支持穴１４に挿通しているのみで支持部材１２と締結されているわけではない。したがって、図3のように自動販売機本体２は瞬間的には二点鎖線に示す上下方向の変形をする。
【００２９】
これにて係止部９４の支持部材１２との掛かり代L１が変形によってΔL１だけ寸法が減ずる。また、この変形時において支持部１５の上下位置の変位量をΔｈとすると、衝撃を受ける以前の掛り部１７の下端は支持部１５の位置より高さｈだけ下方であるから、ｈ＞Δｈとしておけば支持部材１２に掛り部１７が当接する。したがって、係止部９４が支持穴１４から抜き出されて支持レール９が支持部材１２から外れることを防ぐ。
【００３０】
このように、本実施の形態にかかる自動販売機によれば、例えば自動販売機をフォークリフト等で誤って手荒く運搬荷降ろしされた場合などのように、自動販売機全体に強い衝撃が加わった場合でも、掛かり部１７が支持部材１２に引っ掛かるので、係止部９４が支持穴１４から抜き出される移動が規制される。したがって、支持レール９が支持部材１２から外れることがない衝撃に強く信頼性の向上したものとなる。
【００３１】
（実施の形態２）
本発明の第２の実施の形態にかかる自動販売機について図4〜図5を参照して説明する。
【００３２】
本実施の形態にかかる自動販売機が第１の実施の形態のものと相違する点は、係止部９４の先から支持部１５より横方に延在して掛り部１７を設けたことである。
【００３３】
この支持レール９は、支持レール本体９１の奥側一端から延在して設けた係止部９４と、係止部９４の先から支持部１５より横方に延在して掛り部１８を設けていて、この掛り部１８の側端は支持部１５の側端位置より幅ｗだけ横方に延在している。換言すれば、掛り部１８と支持部１５との掛り代ｗの寸法にて支持レール９は支持部材１２に支持される。
【００３４】
図4においても支持穴１４は略横長穴形状で、その下辺端面が支持部１５となしている。
【００３５】
支持レール９の商品収納庫３の天井壁１０面への設置は、商品収納庫３奥側で掛り部１８を支持穴１４に捻じ込み係止部９４を支持部１５より奥に挿通した後、商品収納庫３手前側で穴９５を介してビス１６にて取付穴１３にねじ止めしている。これにより商品が充填される商品収納コラム５を支持レール９で商品収納庫３内に吊り下げて支持する。
【００３６】
自動販売機全体に強い落下衝撃が加わると商品収納コラム５が上下に振動する。この時、支持レール９やフランジ５１eに多大な負荷が上下方向にかかるため、支持レール９の商品収納庫３手前側はビス１６にて補強部材１１に締結されているため変位は少ないが、支持レール９の商品収納庫３奥側は支持レール９の係止部９４を支持部材１２の支持穴１４に挿通しているのみで支持部材１２と締結されているわけではない。したがって、図5のように自動販売機本体２は瞬間的には二点鎖線に示す上下方向の変形をする。この変形時において、支持部１５は上下位置を変位量Δｈ２だけ上下方向に変位させる。しかし、掛り部１８の側端は支持部１５の側端位置より左右の横方向に掛り代ｗの寸法だけ横方に延在しているので、想定外の衝撃を受けて上下方向変位量Δｈ２が大きくなっても、横方向の掛り代ｗはという寸法は、影響を直接的に大きな相関を受けない。よって、掛り部１８の側端を支持部１５の側端位置の関係である掛り代ｗは過大に設ける必要はなく、当初の組立段階にて支障のない範囲で、掛り代ｗを設けるのみで良い。
【００３７】
したがって、最小必要寸法のみの掛り代ｗを設けるのみで支持部材１２に掛り部１８が当接させることができる。その結果、係止部９４が支持穴１４から抜き出されて支持レール９が支持部材１２から外れることを防ぐことができ、また少ない寸法分の掛り部１８の形成で実現できるので過剰に形状を大型化する必要はない。
【００３８】
このように、本実施の形態にかかる自動販売機によれば、例えば自動販売機をフォークリフト等で誤って手荒く運搬荷降ろしされた場合などのように、自動販売機全体に強い落下衝撃が加わった場合でも、上下の変位量が関わらずに余裕を有して掛かり部１８が支持部材１２に引っ掛かるので、係止部９４が支持穴１４から抜き出される移動が規制される。したがって、支持レール９が支持部材１２から外れることがない衝撃に強く信頼性の向上したものを省資源で実現できる。
【００３９】
（実施の形態３）
本発明の第３の実施の形態にかかる自動販売機について図６〜図７を参照して説明する。
【００４０】
本実施の形態にかかる自動販売機が第１の実施の形態または第2の実施の形態のものと相違する点は、支持レール９の掛り部１７や掛り部１８の奥端部には先端鋭利な突刺し部１９を設けたことである。ここでは第１の実施の形態のものと相違させた場合を説明する。
【００４１】
この支持レール９は、係止部９４の先から支持部１５より下方に延在して掛り部１７を設けていて、この掛り部１７の下端は支持部１５の位置より高さｈだけ下方に延在している。また、この掛り部１７の奥端面は略くの字形状の先端鋭利な突刺し部１９を形成している。
【００４２】
支持レール９の商品収納庫３の天井壁１０面への設置は、先ず商品収納庫３奥側で掛り部１７を支持穴１４に捻じ込み係止部９４を支持部１５より奥に挿通するが、支持穴１４の奥は商品収納庫３の背面を形成する背面壁１０aであり硬質ポリウレタンなどの断熱材で成形されている。したがって、この掛り部１７を支持穴１４に捻じ込む作業は断熱材に掛り部１７を捻じ込む作業であり、労力を要する。
【００４３】
しかし、この掛り部１７の奥端面は略くの字形状の先端鋭利な突刺し部１９を形成しているので、掛り部１７が断熱材を切削しながら捻じ込んでいくので労力が緩和される。
【００４４】
このようにして係止部を９４を支持部１５よりも奥へ挿通した後、商品収納庫３手前側で穴９５を介してビス１６にて取付穴１３にねじ止めしている。これにより商品が充填される商品収納コラム５を支持レール９で商品収納庫３内に吊り下げて支持する。
【００４５】
自動販売機全体に強い落下衝撃が加わった時は、第１の実施の形態同様に支持部材１２に掛り部１７が当接することによって、係止部９４が支持穴１４から抜き出されて支持レール９が支持部材１２から外れることを防ぐ。
【００４６】
このように、本実施の形態にかかる自動販売機によれば、支持レール９の設置作業時の労力を緩和するとともに、自動販売機全体に強い衝撃が加わった場合でも、掛かり部１７が支持部材１２に引っ掛かるので、係止部９４が支持穴１４から抜き出される移動が規制される。したがって、支持レール９が支持部材１２から外れることがない衝撃に強く信頼性の向上したものとなる。
【産業上の利用可能性】
【００４７】
以上のように、本発明にかかる自動販売機は、商品収納コラムの支持レールの先端部が本体支持孔に掛かることで、支持レールの抜け出ることを防ぐことができ、螺子止めをしない係り止め構造に適用できる。
【図面の簡単な説明】
【００４８】
【図１】本発明の実施の形態１にかかる自動販売機の支持レールの斜視図
【図２】本発明の実施の形態１にかかる自動販売機の商品収納コラムの取付構造を示す斜視図
【図３】本発明の実施の形態１にかかる自動販売機の要部側面断面図
【図４】本発明の実施の形態２にかかる自動販売機の支持レールの斜視図
【図５】本発明の実施の形態２にかかる自動販売機の要部斜視図
【図６】本発明の実施の形態３にかかる自動販売機の支持レールの斜視図
【図７】本発明の実施の形態３にかかる自動販売機の要部側面断面図
【図８】従来の自動販売機の斜視図
【図９】従来の自動販売機の本体の構成を説明する斜視図
【図１０】従来の自動販売機の商品収納コラムの取付構造を説明する斜視図
【図１１】従来の自動販売機の概略側面断面図
【図１２】従来の自動販売機の要部側面断面図
【符号の説明】
【００４９】
３    商品収納庫
５    商品収納コラム
９    支持レール
９４    係止部
１４    支持穴
１５    支持部
１７    掛り部
１８    掛り部
１９    突刺し部
【図１】
2005141474.tif 000003
【図２】
2005141474.tif 000004
【図３】
2005141474.tif 000005
【図４】
2005141474.tif 000006
【図５】
2005141474.tif 000007
【図６】
2005141474.tif 000008
【図７】
2005141474.tif 000009
【図８】
2005141474.tif 000010
【図９】
2005141474.tif 000011
【図１０】
2005141474.tif 000012
【図１１】
2005141474.tif 000013
【図１２】
2005141474.tif 000014